(57)【要約】  本発明は、洗濯機の可変減衰ショックアブソーバ及び洗濯機に関する。当該可変減衰ショックアブソーバは、懸架ロッド（１）、スリーブ（３）及びスリーブ（３）内に設けられる上バネ座（２）、振動減衰バネ（４）及び下バネ座（５）を含み、スリーブ（３）は、上端にブラケット（６）を備えるとともに下端に底蓋（７）が装着されており、懸架ロッド（１）は、ブラケット（６）、上バネ座（２）、振動減衰バネ（４）を貫通して下バネ座（５）に接続され、ブラケット（６）と上バネ座（２）の間には減衰スリーブ（８）が設けられており、懸架ロッド（１）が当該減衰スリーブ（８）を貫通し、減衰スリーブ（８）が懸架ロッド（１）に対し可変的な減衰力を付与する。ブラケット（６）と上バネ座（２）はこれらの間の減衰スリーブ（８）を押圧し、減衰スリーブ（８）が変形して内側に押圧されることで、減衰スリーブ（８）と懸架ロッド（１）との摩擦力が増大する。洗濯機は脱水開始時に負荷の偏りが過度に大きくなり、外槽がスリーブ（３及び減衰スリーブ（８）に対し偏心力を付与することで減衰スリーブ（８）が径方向に変形し、懸架ロッド（１）を押圧して減衰力を増大させる。また、脱水運転の継続に伴って負荷の偏りが小さくなり、外槽からスリーブ（３）及び減衰スリーブ（８）に付与される偏心力が放出されることで減衰スリーブ（８）が回復し、減衰力を減少させる。これによれば、振動減衰性能が向上し、洗濯機の振動及び移動距離が減少するとともに、ノイズが低減する。【選択図】図２
2019505740.tif 000002
【特許請求の範囲】
【請求項１】
懸架ロッド、スリーブ及びスリーブ内に設けられる上バネ座、振動減衰バネ及び下バネ座を含み、スリーブの上端にブラケットが備えられ、懸架ロッドが、ブラケット、上バネ座、振動減衰バネを貫通して下バネ座に接続される洗濯機の可変減衰ショックアブソーバにおいて、
前記ブラケットと上バネ座の間には減衰スリーブが設けられており、懸架ロッドが当該減衰スリーブを貫通し、減衰スリーブが懸架ロッドに対し可変的な減衰力を付与することを特徴とする可変減衰ショックアブソーバ。
【請求項２】
前記減衰スリーブには可変減衰構造が設けられており、可変減衰構造が力を受けると、減衰スリーブは内径が小さくなるよう径方向に変形し、減衰力を増大させることを特徴とする請求項１に記載の可変減衰ショックアブソーバ。
【請求項３】
前記可変減衰構造は、第１可変減衰構造及び／又は第２可変減衰構造を含み、第１可変減衰構造は減衰スリーブにおけるブラケットを支持する端面に設けられており、ブラケットからの下方の圧力は減衰スリーブの径方向への変形圧力に変換され、減衰スリーブの内径を縮小させることで懸架ロッドの減衰力を増大させ、第２可変減衰構造は減衰スリーブと上バネ座との接触面に設けられており、上バネ座の支持力は減衰スリーブの径方向への押圧力に変換され、減衰スリーブの内径を縮小させることで懸架ロッドの減衰力を増大させることを特徴とする請求項２に記載の可変減衰ショックアブソーバ。
【請求項４】
前記減衰スリーブは、ブラケットを支持するトレイ、トレイの下方に設けられて上バネ座に伸入する支持スリーブ、及び、トレイと支持スリーブを貫通する懸架ロッド装着孔を含み、前記トレイ及び／又は支持スリーブには、力を受けると支持スリーブの内径を縮小する可変減衰構造が設けられていることを特徴とする請求項１に記載の可変減衰ショックアブソーバ。
【請求項５】
前記トレイの上面には、懸架ロッド装着孔の外周に沿って少なくとも１つの環状突起が設けられており、環状突起は、内側から外側に向かって徐々に低くなっており、且つ表面が円弧面をなしており、ブラケットの下部には環状突起と係合する凹状の圧嵌面が設けられており、前記環状突起がトレイ上の可変減衰構造であり、好ましくは、トレイの上面には２つの同心の環状突起が設けられていることを特徴とする請求項４に記載の可変減衰ショックアブソーバ。
【請求項６】
前記支持スリーブの周壁には少なくとも１つの圧縮突出リブが設けられており、支持スリーブの表面に対する圧縮突出リブの高さは支持スリーブの軸方向において下方から上方に向かって徐々に高くなっており、前記圧縮突出リブが支持スリーブ上の可変減衰構造であり、好ましくは、圧縮突出リブを３〜８本とし、円周方向に均一に配置することを特徴とする請求項４又は５に記載の可変減衰ショックアブソーバ。
【請求項７】
前記懸架ロッド装着孔の内壁には、軸方向に沿って少なくとも１つの減衰突出リブが設けられており、好ましくは、減衰突出リブを２〜６本とし、円周方向に均一に配置することを特徴とする請求項４に記載の可変減衰ショックアブソーバ。
【請求項８】
前記上バネ座は、上部に装着溝が設けられるとともに、下部に振動減衰バネを位置決めするための装着スタッドが設けられており、懸架ロッドは装着溝の内部から装着スタッドを貫通しており、懸架ロッドと装着溝の内壁との間には隙間が周設されて支持スリーブを収容するための収容部を構成しており、支持スリーブ上の可変減衰構造は装着溝の開口に圧接され、好ましくは、前記装着スタッドは前記装着溝から下方に延伸するよう構成されることを特徴とする請求項４に記載の可変減衰ショックアブソーバ。
【請求項９】
前記下バネ座は、振動減衰バネ受、含油フェルト、スライドカップ及び下支持パッドを含み、振動減衰バネは、上端が上バネ座に支持及び接続されるとともに、下端が振動減衰バネ受の上方に支持されており、含油フェルト、スライドカップ及び下支持パッドは、振動減衰バネ受の下方に順に設けられていることを特徴とする請求項１に記載の可変減衰ショックアブソーバ。
【請求項１０】
請求項１〜９のいずれかに記載される洗濯機の可変減衰ショックアブソーバを備え、外槽の懸架ロッド座を上方に持ち上げるよう支持しており、洗濯機の脱水運転開始時に負荷の偏りが過度に大きくなり、外槽がスリーブ及び減衰スリーブに対し偏心力を付与することで減衰スリーブが径方向に変形し、懸架ロッドを押圧して減衰力を増大させ、
脱水運転の継続に伴って負荷の偏りが小さくなり、外槽からスリーブ及び減衰スリーブに付与される偏心力が放出されることで減衰スリーブが回復し、減衰力を減少させることを特徴とする洗濯機。
【発明の詳細な説明】
【技術分野】
【０００１】
本発明は洗濯機の技術分野に関し、具体的には洗濯機のショックアブソーバであって、特に、洗濯機の可変減衰ショックアブソーバ及び当該ショックアブソーバを用いる洗濯機に関する。
【背景技術】
【０００２】
従来の洗濯機は、パルセータ式洗濯機とドラム洗濯機に区分される。このうち、パルセータ式洗濯機の構造には、洗濯機の外観を形成する筐体と、筐体の内部に設けられるとともに、支持部材により懸架及び固定されて洗浄水を収容するための外槽と、回転可能に外槽の内部に設けられるとともに、底部に撹拌器が設けられる内槽と、外槽の下側に装着されて撹拌器及び内槽の駆動力を発生させる駆動モータと、駆動モータの駆動力を撹拌器と内槽に選択的に供給する動力伝達装置と、外槽の下部に装着されて、外槽に収容される洗浄水を外部に排出する排水装置と、が含まれる。また、外槽は懸架ロッド装置によって筐体に懸設されている。
【０００３】
現在、懸架ロッド装置は、懸架ロッド、懸架ロッド座、球面座、バネ及びバネ座を含む。懸架ロッド座は懸架ロッドの先端に設けられ、バネ座、バネ及び球面座は懸架ロッドの下端から上方に向かって順に懸架ロッドに挿通されている。また、球面座の内側には摩擦片が嵌設されている。洗濯機の筐体には球面凹溝が設けられており、懸架ロッド座の凸球面が筐体の球面凹溝に係合している。外槽の下端にも球面凹溝が備わっており、球面座の凸球面と外槽下端の球面凹溝が係合することで、内槽と外槽が洗濯機の筐体に懸架される。
【０００４】
洗濯機の動作時には、外槽で発生した振動により球面座が上下に運動し、球面座がバネの伸縮及び摩擦片を介して懸架ロッドに対し往復摩擦することで減衰力が生じる。これにより振動が抑制される結果、洗濯機全体の振動及びノイズレベルを改善するとの目的が達せられる。
【０００５】
しかし、バネが完全に圧縮されると振動の減衰作用が失われてしまう。結果、洗濯機の洗浄及び脱水時に懸架ロッドが良好な振動減衰作用を発揮できなくなり、洗濯機の振動が大きくなったり移動距離が増大したりする。また、脱水への移行段階では内部システムの振動が増大するため、懸架ロッド装置によって相対的に大きな減衰力を付与し、内部システムの振動を抑える必要がある。一方、脱水の定常段階では内部システムの振動が比較的小さいため、懸架ロッド装置によって相対的に小さな減衰力を付与し、振動から遮断する必要がある。ここで、前記懸架ロッド装置の場合には摩擦片を通じて単一的な減衰力を付与することしかできない。且つ、懸架ロッド装置の組立時には、潤滑条件を改善するために球面座の表面にグリースが塗布される。そのため、内部システムの振動が増大する脱水移行段階では、懸架ロッド装置の減衰力でシステム運転中の振動を抑制することが困難な場合が多い。また、内部システムの振動が比較的小さい脱水定常段階においては、グリースの粘性と懸架ロッドの減衰力によって懸架ロッド装置が上下に激しく動き、異常な振動ノイズが発生するとの課題がある。
【０００６】
以上に鑑みて、本発明を提案する。
【発明の概要】
【発明が解決しようとする課題】
【０００７】
本発明は、従来技術における瑕疵を解消し、懸架ロッドの振動減衰における弾性係数を安定的に変化させて振動減衰性能を向上し、洗濯機の振動及び移動距離を減少させるとともに、ノイズの低減が可能な洗濯機の可変減衰ショックアブソーバを提供することを解決すべき技術的課題とする。
【０００８】
本発明の他の目的は、当該可変減衰ショックアブソーバを備える洗濯機を提供することである。
【課題を解決するための手段】
【０００９】
上記の技術的課題を解決すべく、本発明で採用する技術方案の基本思想について以下に述べる。
【００１０】
洗濯機の可変減衰ショックアブソーバであって、懸架ロッド、スリーブ及びスリーブ内に設けられる上バネ座、振動減衰バネ及び下バネ座を含み、スリーブの上端にブラケットが備えられ、懸架ロッドが、ブラケット、上バネ座、振動減衰バネを貫通して下バネ座に接続され、前記ブラケットと上バネ座の間には減衰スリーブが設けられており、懸架ロッドが当該減衰スリーブを貫通し、減衰スリーブが懸架ロッドに対し可変的な減衰力を付与する。更に、ブラケットと上バネ座はこれらの間の減衰スリーブを押圧し、減衰スリーブが変形して内側に押圧されることで、減衰スリーブと懸架ロッドとの摩擦力が増大する。
【００１１】
更に、前記減衰スリーブには可変減衰構造が設けられており、可変減衰構造が力を受けると、減衰スリーブは内径が小さくなるよう径方向に変形し、減衰力を増大させる。
【００１２】
更に、前記可変減衰構造は、第１可変減衰構造及び／又は第２可変減衰構造を含み、第１可変減衰構造は減衰スリーブにおけるブラケットを支持する端面に設けられており、ブラケットからの下方の圧力は減衰スリーブの径方向への変形圧力に変換され、減衰スリーブの内径を縮小させることで懸架ロッドの減衰力を増大させ、第２可変減衰構造は減衰スリーブと上バネ座との接触面に設けられており、上バネ座の支持力は減衰スリーブの径方向への押圧力に変換され、減衰スリーブの内径を縮小させることで懸架ロッドの減衰力を増大させる。
【００１３】
更なる方案として、前記減衰スリーブは、ブラケットを支持するトレイ、トレイの下方に設けられて上バネ座に伸入する支持スリーブ、及び、トレイと支持スリーブを貫通する懸架ロッド装着孔を含み、前記トレイ及び／又は支持スリーブには、力を受けると支持スリーブの内径を縮小する可変減衰構造が設けられている。前記減衰スリーブは、一体的にＴ字型構造をなす減衰ゴムスリーブである。
【００１４】
更に、前記トレイの上面には、懸架ロッド装着孔の外周に沿って少なくとも１つの環状突起が設けられており、環状突起は、内側から外側に向かって徐々に低くなっており、且つ表面が円弧面をなしており、ブラケットの下部には環状突起と係合する凹状の圧嵌面が設けられており、前記環状突起がトレイ上の可変減衰構造であり、好ましくは、トレイの上面には２つの同心の環状突起が設けられている。
【００１５】
更に、前記支持スリーブの周壁には少なくとも１つの圧縮突出リブが設けられており、支持スリーブの表面に対する圧縮突出リブの高さは支持スリーブの軸方向において下方から上方に向かって徐々に高くなっており、前記圧縮突出リブが支持スリーブ上の可変減衰構造であり、好ましくは、圧縮突出リブを３〜８本とし、円周方向に均一に配置する。圧縮突出リブにおける上方に延伸する一端は、トレイの下面に対し平滑に移行するよう接続されている。
【００１６】
更に、前記懸架ロッド装着孔の内壁には軸方向に沿って少なくとも１つの減衰突出リブが設けられており、好ましくは、減衰突出リブを２〜６本とし、円周方向に均一に配置する。
【００１７】
更に、前記上バネ座は、上部に装着溝が設けられるとともに、下部に振動減衰バネを位置決めするための装着スタッドが設けられており、懸架ロッドは装着溝の内部から装着スタッドを貫通しており、懸架ロッドと装着溝の内壁との間には隙間が周設されて支持スリーブを収容するための収容部を構成しており、支持スリーブ上の可変減衰構造は装着溝の開口に圧接され、好ましくは、前記装着スタッドは前記装着溝から下方に延伸するよう構成される。
【００１８】
更に、前記下バネ座は、振動減衰バネ受、含油フェルト、スライドカップ及び下支持パッドを含み、振動減衰バネは、上端が上バネ座に支持及び接続されるとともに、下端が振動減衰バネ受の上方に支持されており、含油フェルト、スライドカップ及び下支持パッドは、振動減衰バネ受の下方に順に設けられている。
【００１９】
本発明における前記可変減衰ショックアブソーバを備える洗濯機は、外槽の懸架ロッド座を上方に持ち上げるよう支持しており、洗濯機の脱水運転開始時に負荷の偏りが過度に大きくなり、外槽がスリーブ及び減衰スリーブに対し偏心力を付与することで減衰スリーブが径方向に変形し、懸架ロッドを押圧して減衰力を増大させ、脱水運転の継続に伴って負荷の偏りが小さくなり、外槽からスリーブ及び減衰スリーブに付与される偏心力が放出されることで減衰スリーブが回復し、減衰力を減少させる。
【００２０】
更に、偏心力が大きいほど減衰スリーブによる懸架ロッドに対する減衰力は大きくなり、偏心力が小さいほど減衰スリーブによる懸架ロッドに対する減衰力は小さくなる。
【００２１】
更に、外槽の総重量もまた減衰スリーブに圧力を付与するため、減衰スリーブに付与される圧力は脱水運転開始時に最大となり、減衰力も最大となる。また、脱水過程では、衣類の水分が排出されるにしたがって減衰スリーブに付与される圧力が小さくなるため、減衰力も小さくなる。
【発明の効果】
【００２２】
上記の技術方案を用いることで、本発明は従来技術と比較して以下のような有益な効果を有する。
【００２３】
本発明の可変減衰ショックアブソーバを用いれば、従来の振動減衰バネの場合には脱水開始時に負荷が均一でないため密着しやすく、ノイズが大きくなるとの課題を補足可能となる。
【００２４】
また、本発明で記載する洗濯機によれば、脱水移行時の振動抑制と、定常脱水字における振動からの遮断という２つの機能を双方ともに実現可能なことから、脱水段階の振動・ノイズレベルを効果的に改善可能となる。また、ショックアブソーバにおける上下の激しい動作についても効果的に回避可能となる。
【００２５】
本発明で記載する洗濯機の可変減衰ショックアブソーバによれば、洗浄及び脱水段階における弾性係数の変化が実現されるため、振動の減衰性能が向上し、洗濯機の振動及び移動距離が減少するとともに、ノイズが低減する。本発明によれば、一般的な振動減衰部材と比較して減衰性能が５０％以上も向上する。また、パルセータ式洗濯機に広く適用可能である。振動の減衰性能が向上することから、洗濯機の脱水安定性において良好な効果が発揮される。
【図面の簡単な説明】
【００２６】
【図１】図１は、本発明における洗濯機の可変減衰ショックアブソーバの構造を示す図である。
【図２】図２は、本発明における洗濯機の可変減衰ショックアブソーバの断面構造を示す図である。
【図３】図３は、本発明における洗濯機の可変減衰ショックアブソーバの組立構造を示す図である。
【図４】図４は、本発明の減衰スリーブの構造図である。
【図５】図５は、本発明の減衰スリーブを他の角度から見た場合の構造図である。
【図６】図６は、図２のＡ部分の拡大図である。
【発明を実施するための形態】
【００２７】
以下に、図面を組み合わせて本発明の具体的実施形態につき更に詳細に述べる。
【００２８】
図１〜図３に示すように、本発明で記載する洗濯機の可変減衰ショックアブソーバは、懸架ロッド１、スリーブ３及びスリーブ３内に設けられる上バネ座２、振動減衰バネ４及び下バネ座５を含む。スリーブ３は上端にブラケット６を備え、下端に底蓋７が装着されている。懸架ロッドは、ブラケット６、上バネ座２、振動減衰バネ４を貫通して下バネ座５に接続されている。下バネ座５は、振動減衰バネ受５１、含油フェルト５２、スライドカップ５３及び下支持パッド５４を含む。振動減衰バネ４は、上端が上バネ座２に支持及び接続されており、下端が振動減衰バネ受５１の上方に支持されている。含油フェルト５２、スライドカップ５３及び下支持パッド５４は、振動減衰バネ受５１の下方に順に設けられている。前記ブラケット６と上バネ座２の間には減衰スリーブ８が設けられており、懸架ロッド１が当該減衰スリーブ８を貫通している。減衰スリーブ８は、懸架ロッド１に対し可変的な減衰力を付与する。洗濯機の外槽に外力が加わると、ブラケット６と上バネ座２がこれらの間の減衰スリーブ８を押圧する。すると、減衰スリーブ８が変形して内側へ懸架ロッド１を押圧し、減衰スリーブ８と懸架ロッド１との摩擦力が増大する結果、減衰力が変化する。
【００２９】
更に、前記減衰スリーブ８には可変減衰構造が設けられている。可変減衰構造が力を受けると、減衰スリーブ８は内径が小さくなるよう径方向に変形し、懸架ロッド１を押圧するため、減衰力が増大する。
【００３０】
図４及び図５に示すように、可変減衰構造は、第１可変減衰構造９及び／又は第２可変減衰構造１０を含む。第１可変減衰構造９は、減衰スリーブ８におけるブラケット６を支持する端面に設けられている。ブラケット６からの下方の圧力は減衰スリーブ８の径方向への変形圧力に変換され、減衰スリーブ８の内径を縮小させるため、懸架ロッド１の減衰力が増大する。第２可変減衰構造１０は減衰スリーブ８と上バネ座２との接触面に設けられている。上バネ座２の支持力は減衰スリーブ８の径方向への押圧力に変換され、減衰スリーブ８の内径を縮小させるため、懸架ロッド１の減衰力が増大する。
【００３１】
具体的な方案として、前記減衰スリーブ８は、ブラケット６を支持するトレイ８１、トレイ８１の下方に設けられて上バネ座２に伸入する支持スリーブ８２、及び、軸方向にトレイ８１と支持スリーブ８２を貫通する懸架ロッド装着孔８３を含む。前記トレイ８１及び／又は支持スリーブ８２には、力を受けると懸架ロッド装着孔８３の内径を縮小する可変減衰構造が設けられている。前記減衰スリーブ８は減衰ゴムスリーブであり、全体的にＴ字形状の一体構造をなしている。
【００３２】
実施例１
【００３３】
図４に示すように、本実施例における前記トレイ８１の上面には、懸架ロッド装着孔８３の外周に沿って環状突起８４が設けられている。環状突起８４は内側から外側に向かって徐々に低くなっている。また、表面が円弧面となっており、全体として中心が貫通した球欠構造となっている。なお、懸架ロッド装着孔８３が中心を貫通している。ブラケット６の下部におけるトレイ８１の上面との接触面は、環状突起８４と係合する凹状の圧嵌面となっている（図６参照）。前記環状突起８４が、トレイ８１上の第１可変減衰構造９となる。
【００３４】
更に、第１可変減衰構造９は、トレイ８１の上面に設けられる内外２つの同心の環状突起８４である。
【００３５】
実施例２
【００３６】
図５に示すように、本実施例で記載する支持スリーブ８２の周壁には、少なくとも１つの圧縮突出リブ８５が設けられている。支持スリーブ８２の表面に対する圧縮突出リブ８５の突出高さは、支持スリーブ８２の軸方向において下方から上方に向かって徐々に高くなっている。前記圧縮突出リブ８５が、支持スリーブ８２上の第２可変減衰構造１０となる。圧縮突出リブ８５における上方に延伸する一端は、トレイ８１の下面に対し平滑に移行するよう接続されている。
【００３７】
好ましくは、圧縮突出リブ８５は４〜６本とし、支持スリーブ８２の円周方向に均一に配置する。
【００３８】
実施例３
【００３９】
本実施例は、前記支持スリーブの外径が下から上に向かうにつれて徐々に拡大し、支持スリーブの上端がトレイの下面に対し平滑に移行している（図示しない）との点で実施例２とは異なる。
【００４０】
実施例４
【００４１】
図４及び図５に示すように、本実施例では、前記懸架ロッド装着孔８３の内壁に軸方向に沿って少なくとも１つの減衰突出リブ８６が設けられている。好ましくは、減衰突出リブ８６は２〜６本とし、円周方向に均一に配置する。
【００４２】
実施例５
【００４３】
図３及び図６に示すように、本実施例で記載する上バネ座２の上部には上向きに開口する装着溝２１が設けられており、下部には振動減衰バネ４を位置決めするための装着スタッド２２が設けられている。懸架ロッド１は装着溝２１の内部から装着スタッド２２を貫通している。懸架ロッド１と装着溝２１の内壁との間には隙間が周設されており、支持スリーブ８２を収容するための収容部２３を構成している。支持スリーブ８２の圧縮突出リブ８５は装着溝２１の開口に圧接される。圧縮突出リブ８５は下方から上方に向かって徐々に高くなっているため、支持スリーブ８２上の圧縮突出リブ８５に対する上バネ座２の支持力は、内側に懸架ロッド１を押圧する力に変換される。これにより、懸架ロッド１に対し可変的な減衰力が付与される。
【００４４】
好ましくは、前記装着スタッド２２が前記装着溝２１から下方に延伸するよう構成される。
【００４５】
実施例６
【００４６】
本発明は、上記実施例における前記可変減衰ショックアブソーバを備える洗濯機であって、外槽の懸架ロッド座を上方に持ち上げるよう支持している。当該構造は当業者にとって周知の技術であるため、ここでは詳述しない。洗濯機は脱水運転開始時の負荷の偏りが過度に大きいため、外槽から本発明における前記可変減衰ショックアブソーバのスリーブ３と減衰スリーブ８に対し偏心力が付与される。これにより、減衰スリーブ８が軸方向に圧縮され、径方向に変形することで懸架ロッド１を押圧する結果、減衰力が増大する。また、脱水運転の継続に伴って負荷の偏りは小さくなるため、可変減衰ショックアブソーバは外槽からスリーブ３及び減衰スリーブ８に付与される偏心力を放出する。これにより減衰スリーブ８が回復し、減衰力が小さくなる。
【００４７】
更に、偏心力が大きいほど減衰スリーブ８による懸架ロッド１に対する減衰力は大きくなり、偏心力が小さいほど減衰スリーブ８による懸架ロッド１に対する減衰力は小さくなる。
【００４８】
更に、外槽の総重量もまた減衰スリーブ８に圧力を付与するため、減衰スリーブ８に付与される圧力は脱水運転開始時に最大となり、減衰力も最大となる。また、脱水過程では、衣類の水分が排出されるにしたがって減衰スリーブ８に付与される圧力が小さくなるため、減衰力も小さくなる。
【００４９】
なお、本発明で記載する振動減衰バネ４は独立した１本のバネに限定されず、少なくとも２本のバネを組み合わせて構成されるバネ群としてもよい。
【００５０】
上記実施例の実施方案は、更なる組み合わせ又は置き換えが可能である。また、実施例は本発明の好ましい実施例について述べたものにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【図１】
2019505740.tif 000003
【図２】
2019505740.tif 000004
【図３】
2019505740.tif 000005
【図４】
2019505740.tif 000006
【図５】
2019505740.tif 000007
【図６】
2019505740.tif 000008
【国際調査報告】
2019505740.tif 000009
2019505740.tif 000010
2019505740.tif 000011
2019505740.tif 000012